(57)【要約】【課題】ＡＧＣの制御に用いる光信号レベルの測定値の補正を、手間をかけることなく簡単に行うことのできる光受信機を提供する。【解決手段】入力された光信号を電気信号に変換する光電変換部１０と、光電変換部１０で変換された電気信号のレベルを調整するレベル調整部１１と、光電変換部１０で受光した光信号のレベルを検出し、光信号のレベルに応じてレベル調整部１１を制御する制御部２０と、光信号のレベルに対応するレベル調整部１１の制御情報を記憶する記憶部２１と、を有し、記憶部２１には、所定レベルの光信号を光電変換部１０に入力した際に制御部２０で検出される光信号のレベルと所定レベルとの差分情報が記憶され、制御部２０は、検出した光信号のレベルに記憶部２１に記憶された差分情報を適用し、差分情報を適用した光信号のレベルに応じてレベル調整部１１を制御する。【選択図】図１
2015106867.tif 000002
【特許請求の範囲】
【請求項１】
光伝送システムにおいて光信号を電気信号に変換し出力する光受信機において、
入力された光信号を電気信号に変換する光電変換部と、
前記光電変換部で変換された前記電気信号のレベルを調整するレベル調整部と、
前記光電変換部で受光した光信号のレベルを検出し、該光信号のレベルに応じて前記レベル調整部を制御する制御部と、
前記光信号のレベルに対応する前記レベル調整部の制御情報を記憶する記憶部と、を有し、
前記記憶部には、所定レベルの光信号を前記光電変換部に入力した際に前記制御部で検出される光信号のレベルと前記所定レベルとの差分情報が記憶され、
前記制御部は、検出した前記光信号のレベルに前記記憶部に記憶された前記差分情報を適用し、該差分情報を適用した光信号のレベルに応じて前記レベル調整部を制御することを特徴とする光受信機。
【請求項２】
前記制御部は外部からの所定の指令を受信可能とされ、前記制御部が誤差補正の指令を受信すると、前記制御部は前記光電変換部に入力された光信号のレベルを検出すると共に、該検出した光信号のレベルと所定値との差を前記差分情報として前記記憶部に記憶させることを特徴とする請求項１記載の光受信機。
【請求項３】
前記記憶部は光信号のレベル毎に対応する制御情報をテーブル状に記憶し、前記制御部は、検出された光信号のレベルに前記差分情報を加算し、該加算した光信号のレベルに対応する制御情報を前記記憶部から参照することを特徴とする請求項１または２記載の光受信機。
【請求項４】
前記制御部には複数の状態を表示可能な表示部が接続され、前記記憶部は光信号のレベル毎に前記表示部の表示状態の情報をさらに記憶し、前記制御部は、前記差分情報を加算した光信号のレベルに対応する前記表示部の表示状態の情報を前記記憶部から参照すると共に、該情報に基づいて前記表示部の表示状態を制御することを特徴とする請求項３記載の光受信機。
【発明の詳細な説明】
【技術分野】
【０００１】
本発明は、光伝送システムにおいて光信号を受信し電気信号に変換して出力する光受信機に関し、特に入力された光信号を電気信号に変換する際に、入力レベルの変動に関わらず出力レベルが一定レベルとなるように自動的に調整可能な光受信機に関する。
【背景技術】
【０００２】
光ファイバーを用いた光伝送システムにおいては、受信者側に光受信機が配置される。光受信機は、光信号を電気信号に変換する機能を有しており、光信号によって伝送されたＲＦ信号やＦＭ信号を出力する。地震などの災害に関する情報や地域の情報、あるいは行政情報などを伝達する告知放送システムにおいて、かかる光受信機が広く用いられている。
【０００３】
光受信機で受信し変換された電気信号であるＲＦ信号は、増幅器によって増幅された後、ＡＧＣ（自動利得制御：Ａｕｔｏ  Ｇａｉｎ  Ｃｏｎｔｒｏｌｌｅｒ）によってレベル調整される。ＡＧＣは、光信号の入力レベルの変動に関わらず、ＲＦ信号の出力レベルが一定となるように自動的に調整を行うものである。
【０００４】
光受信機には、ＡＧＣの制御を行う制御部が設けられ、この制御部は、光信号を電気信号に変換するフォトダイオードから光信号のレベルを得て、この光信号のレベルに応じた制御電圧をＡＧＣに出力する。ＡＧＣでは、制御部からの制御電圧に応じたレベルとなるようにＲＦ信号のレベルが調整される。このようにＡＧＣを備えた光受信機としては、例えば特許文献１に挙げるようなものがある。
【先行技術文献】
【特許文献】
【０００５】
【特許文献１】特開２０１３−２６６３６号公報
【発明の概要】
【発明が解決しようとする課題】
【０００６】
光受信機としては、所定の受光レベル範囲において出力されるＲＦ信号のレベルが一定となるようにＡＧＣの仕様を決定している。しかし、光受信機のフォトダイオードや増幅器には誤差があり、制御部で検出する光信号の入力レベルの値をそのまま用いて制御電圧の出力を行うと、ＡＧＣからの出力レベルに誤差を生じることとなる。従来は、基準となる光信号を光受信機に入力し、制御部の直前で検出される光信号のレベルを測定し、光信号のレベルと制御情報とを対応付けたテーブルを修正するなどして、誤差が制御に影響しないように調整していた。このため、光受信機の調整に手間がかかっていた。
【０００７】
本発明は前記課題を鑑みてなされたものであり、ＡＧＣの制御に用いる光信号レベルの測定値の補正を、手間をかけることなく簡単に行うことのできる光受信機を提供することを目的とする。
【課題を解決するための手段】
【０００８】
前記課題を解決するため、請求項１の発明に係る光受信機は、光伝送システムにおいて光信号を電気信号に変換し出力する光受信機において、
入力された光信号を電気信号に変換する光電変換部と、
前記光電変換部で変換された前記電気信号のレベルを調整するレベル調整部と、
前記光電変換部で受光した光信号のレベルを検出し、該光信号のレベルに応じて前記レベル調整部を制御する制御部と、
前記光信号のレベルに対応する前記レベル調整部の制御情報を記憶する記憶部と、を有し、
前記記憶部には、所定レベルの光信号を前記光電変換部に入力した際に前記制御部で検出される光信号のレベルと前記所定レベルとの差分情報が記憶され、
前記制御部は、検出した前記光信号のレベルに前記記憶部に記憶された前記差分情報を適用し、該差分情報を適用した光信号のレベルに応じて前記レベル調整部を制御することを特徴として構成されている。
【０００９】
請求項１に係る発明によれば、光電変換部等による光信号のレベルの誤差を修正したレベル調整部の制御を行うことができ、レベル調整部による信号レベル調整を正確に行うことができる。
【００１０】
また、請求項２の発明に係る光受信機は、前記制御部は外部からの所定の指令を受信可能とされ、前記制御部が誤差補正の指令を受信すると、前記制御部は前記光電変換部に入力された光信号のレベルを検出すると共に、該検出した光信号のレベルと所定値との差を前記差分情報として前記記憶部に記憶させることを特徴として構成されている。
【００１１】
請求項２に係る発明によれば、制御部で測定される光信号レベルの誤差を自動的に取得し、通常の動作時にも適用することができるので、光受信機の調整を簡単にすることができる。
【００１２】
さらに、請求項３の発明に係る光受信機は、前記記憶部は光信号のレベル毎に対応する制御情報をテーブル状に記憶し、前記制御部は、検出された光信号のレベルに前記差分情報を加算し、該加算した光信号のレベルに対応する制御情報を前記記憶部から参照することを特徴として構成されている。
【００１３】
請求項３に係る発明によれば、テーブルを変更することなく簡易な処理で光信号のレベルの誤差を修正したレベル調整部の制御を行うことができる。
【００１４】
さらにまた、請求項４の発明に係る光受信機は、前記制御部には複数の状態を表示可能な表示部が接続され、前記記憶部は光信号のレベル毎に前記表示部の表示状態の情報をさらに記憶し、前記制御部は、前記差分情報を加算した光信号のレベルに対応する前記表示部の表示状態の情報を前記記憶部から参照すると共に、該情報に基づいて前記表示部の表示状態を制御することを特徴として構成されている。
【００１５】
請求項４に係る発明によれば、光電変換部等による光信号のレベルの誤差を修正した上で光受信機の状態を正確に表示することができる。
【発明の効果】
【００１６】
本発明に係る光受信機によれば、レベル調整部の制御に用いる光信号レベルの測定値の補正を、手間をかけることなく簡単に行うことができると共に、光信号のレベルの誤差を修正した上でレベル調整部の制御を行い、光受信機の状態を確認することができる。
【図面の簡単な説明】
【００１７】
【図１】本実施形態における光受信機の構成図である。
【図２】光信号の入力レベルと制御部に対する入力電圧及び制御部からの出力電圧の関係を表した表である。
【図３】登録モードにおける光受信機の動作フローである。
【図４】通常モードにおける光受信機の動作フローである。
【発明を実施するための形態】
【００１８】
本発明の実施形態について図面に沿って詳細に説明する。図１には、本実施形態における光受信機の構成図を示している。本実施形態の光受信機は、告知放送のシステムにおいて用いられるものであって、各家庭に設置されるものである。光受信機には光ファイバー網からの光ケーブルが接続され、光受信機は光ケーブルからの光信号を電気信号に変換し、増幅等を行ってＲＦ信号として出力する。
【００１９】
図１において、光電変換部１０は、光ケーブルからの光信号を電気信号に変換する。光電変換部１０で変換された電気信号は、信号ライン１を経てＲＦ出力端子１２から出力される。また、信号ライン１には分配器１６が設けられ、この分配器１６から入力された光信号のレベルを検出する受光レベル検出ライン２が引き出され、後述する電気信号のレベル調整に用いられる。
【００２０】
信号ライン１には、光電変換部１０で変換された電気信号のレベルを調整するレベル調整部としてのＡＧＣ１１と、ＲＦ出力端子１２が配置され、さらに、光電変換部１０とＡＧＣ１１の間には増幅器１３が、ＡＧＣ１１とＲＦ出力端子１２の間には分配器１４及び増幅器１５が、それぞれ配置される。
【００２１】
受光レベル検出ライン２には、増幅器２５及び制御部２０が配置されている。制御部２０は、光電変換部１０で受光した光信号のレベルを検出し、検出した光信号のレベルに応じた制御電圧を、制御電圧出力ライン３を介してＡＧＣ１１に出力する。制御電圧出力ライン３にも、増幅器２６が配置されている。ＡＧＣ１１は、入力された制御電圧に応じて、電気信号のレベルを調整して出力することのできるものであり、可変減衰器などによって構成されている。本実施形態では、制御部２０による制御電圧の出力は、ＰＷＭによって行われる。ＡＧＣ１１に電気信号を通すことによって、光信号のレベルが変動しても、ＲＦ出力端子１２から出力される電気信号のレベルを一定にすることができる。
【００２２】
分配器１４からの出力のうち一方は信号ライン１を構成し、ＲＦ出力端子１２に接続される。分配器１４からの出力のうち他方は、指令入力ライン４を経て制御部２０に接続される。指令入力ライン４には、制御部２０に対する所定の指令につき電気信号を復調して制御部２０に入力する復調部２４が設けられている。指令入力ライン４により、光電変換部１０に光信号を入力することで、制御部２０に対して所定の指令を送信することができる。
【００２３】
制御部２０には、ＡＧＣ１１の制御のための情報を記憶する記憶部２１と、光受信機の状態を表示するための表示部２２とが接続されている。表示部２２としては、ＬＥＤ等が用いられ、表示部２２の点灯・非点灯及び点灯時の色を変化させることで、光受信機の複数の状態を表示することができる。本実施形態では、入力される光信号のレベルが所定範囲より小さい場合、表示部２２は非点灯であり、入力される光信号のレベルが所定範囲内の場合、表示部２２は緑色に点灯し、入力される光信号のレベルが所定範囲より大きい場合、表示部２２は赤色に点灯する。
【００２４】
記憶部２１には、制御部２０に入力される光信号のレベルを示す値と、入力される光信号のレベルに対応するＡＧＣ１１の制御情報とが、テーブル状に対応付けられて記憶されている。図２には、光信号の入力レベルと制御部２０に対する入力電圧及び制御部２０からの出力電圧の関係を表した表を示している。
【００２５】
図２において、光入力レベルは、光電変換部１０に入力される光信号のレベルである。入力電圧は、光電変換部１０で変換された電気信号が、増幅器２５を経て制御部２０に入力される電圧の設計値である。ＡＤ値は、制御部２０でＡＤ変換された入力電圧に対応する値である。各ＡＤ値に対応して制御情報であるＰＷＭ  ＤＵＴＹ比が設定されている。ＰＷＭ  ＤＵＴＹ比は、制御部２０がＡＧＣ１１に対して出力する制御電圧のデューティ比であり、出力電圧はＡＧＣ１１における実効電圧を表している。また、各ＡＤ値に対応して制御部２０による表示部２２の制御情報も表されている。記憶部２１には、図２のうちＡＤ値とＰＷＭ  ＤＵＴＹ比及び表示部２２の制御情報とが、テーブル状に対応付けられて記憶されている。
【００２６】
光受信機は、通常モードと登録モードとを切替えることができるように構成されている。まず、登録モードでの光受信機の動作について説明する。図３には、登録モードにおける光受信機の動作フローを示している。登録モードとして光受信機が起動（Ｓ１−１）した場合、光電変換部１０に対して基準となる所定の光信号が入力される（Ｓ１−２）。ここで入力される基準となる光信号は、強度のレベルが所定値、例えば−２．０ｄＢｍであって、光受信機の固有のアドレスなどの基本情報や、制御部２０に対する指令の情報を含んでいる。
【００２７】
登録モードにおいて入力された光信号に含まれる基本情報は、制御部２０で受信され記憶部２１に対し書き込みがなされる（Ｓ１−３）。また、入力された光信号に重畳された誤差補正の指令を制御部２０が受信（Ｓ１−４）すると、制御部２０は受光レベル検出ライン２を介して検出される光信号の入力レベルを測定する（Ｓ１−５）。
【００２８】
光信号のレベルが−２．０ｄＢｍの場合、図２によれば制御部２０で測定されるＡＤ値は１２６のはずであるが、光電変換部１０や増幅器２５の誤差により、実際にはこれと異なる値が検出されることがある。そこで、本来のＡＤ値とＳ１−５で測定されたＡＤ値との差を、加算すべき差分情報として記憶部２１に記憶させる（Ｓ１−６）。例えば、Ｓ１−５で測定されたＡＤ値が１３６であった場合、本来の値は１２６であるから、−１０を差分情報として記憶する。
【００２９】
次に、通常モードでの光受信機の動作について説明する。図４には、通常モードにおける光受信機の動作フローを示している。通常モードとして光受信機が起動（Ｓ２−１）すると、制御部２０は受光レベル検出ライン２を介して検出される光信号の入力レベルを測定する（Ｓ２−２）。
【００３０】
制御部２０は、測定した光信号の入力レベルのＡＤ値に対して、記憶部２１に記憶された差分情報を適用する（Ｓ２−３）。上記の例では、−１０が差分情報として記憶されているから、Ｓ２−２で測定したＡＤ値から−１０を加算して、補正したＡＤ値を算出する。この後の制御においては、補正したＡＤ値を用いる。
【００３１】
制御部２０は、記憶部２１に記憶されたＡＤ値とＰＷＭ  ＤＵＴＹ比のテーブルから、補正したＡＤ値に対応するＰＷＭ  ＤＵＴＹ比を参照し（Ｓ２−４）、該参照したデューティ比によるＰＷＭ出力を、ＤＡ変換の上、制御電圧出力ライン３に対し行う（Ｓ２−５）。
【００３２】
図２に示すように、光信号の入力レベルが小さい場合、ＡＧＣ１１における実効電圧は小さく、ＡＧＣ１１によるレベル調整は行われない。光信号の入力レベルがある程度以上になると、ＡＧＣ１１における実効電圧が大きくなって、信号ライン１のＲＦ信号が減衰されることで所定レベルに調整がなされる。
【００３３】
ＡＧＣ１１の制御電圧の決定に、補正したＡＤ値を用いることにより、光電変換部１０や増幅器２５による光信号のレベルの誤差を修正したＡＧＣ１１の制御を行うことができ、ＡＧＣ１１による信号レベル調整を正確に行うことができる。また、補正を行った上で、光信号の入力レベルに対応するＡＤ値と制御情報であるＰＷＭ  ＤＵＴＹ比とを対応付けたテーブルを参照するようにしたので、テーブルを変更することなく簡易な処理で光信号のレベルの誤差を修正したＡＧＣ１１の制御を行うことができる。
【００３４】
また、制御部２０は、補正したＡＤ値に基づいて表示部２２の制御を行う（Ｓ２−６）。表示部２２は、図２に示すように、ＡＤ値が２８以下の場合には消灯の状態とされ、十分な光信号を受信していないことを表すことができる。ＡＤ値が２９以上１４０以下の場合には緑点灯の状態とされ、正常に光信号を受信していることを表すことができる。ＡＤ値が１４１以上の場合には赤点灯の状態とされ、光信号のレベルが異常であることを表すことができる。
【００３５】
このように、表示部２２の制御についても補正したＡＤ値を用いることにより、光電変換部１０や増幅器２５による光信号のレベルの誤差を修正した上で、光受信機の状態を正確に表示することができる。
【００３６】
Ｓ２−２〜Ｓ２−６の各ステップは、光受信機が通常モードで起動している間、繰り返し行われる。
【００３７】
以上のように、登録モードにおいて制御部２０で光信号のレベルを測定して差分情報を算出し、この差分情報を通常モードにおいて測定した光信号のレベルに加算して制御情報を参照するようにしたことにより、制御部２０で測定される光信号レベルの誤差を自動的に取得し、通常の動作時にも適用することができるので、光受信機の調整を簡単にすることができる。
【００３８】
本実施形態では、登録モードにおいて受信した光信号に、制御部２０での誤差補正の指令の情報を含ませておき、該情報を制御部２０が受信することで、光信号のレベルを測定して差分情報を得ているが、誤差補正の指令は他の手段によって制御部に与えるようにしてもよい。図１に示すように、光受信機にスイッチ等の操作部２３を設け、この操作部２３を操作することで、制御部２０に対して誤差補正の指令を出すようにしてもよい。また、図１に示すように、指令入力ライン４にコンピュータ３０を接続し、このコンピュータ３０から制御部２０に対して誤差補正の指令を出すようにしてもよい。
【００３９】
以上、本発明の実施形態について説明したが、本発明の適用は本実施形態には限られず、その技術的思想の範囲内において様々に適用されうるものである。
【符号の説明】
【００４０】
１    信号ライン
２    受光レベル検出ライン
３    制御電圧出力ライン
４    指令入力ライン
１０    光電変換部
１１    ＡＧＣ
１２    ＲＦ出力端子
１３    増幅器
１４    分配器
１５    増幅器
２０    制御部
２１    記憶部
２２    表示部
２４    復調部
２５    増幅器
【図１】
2015106867.tif 000003
【図２】
2015106867.tif 000004
【図３】
2015106867.tif 000005
【図４】
2015106867.tif 000006